(57)【要約】      （修正有）【課題】光検知装置を統合させ、光制御の節電効果を達成させる光制御照明装置及び光制御照明セットを提供する。【解決手段】光制御照明装置は、制御回路及び制御回路に電気的に接続されるランプからなる照明本体と、制御回路に接続され、且つ導通調光信号及び停止調光信号を発信させる調光タイミング制御器と、制御回路に接続され、環境光線の強さの検知に用いられる光検知装置を備える。ここでは、導通調光信号が制御回路に送信されると導通期間が発生し、導通期間にランプを発光させ、停止調光信号が制御回路に送信されるとオフ時間が発生し、オフ時間にランプを消灯させ、また、オフ時間は人間の視覚が持続する時間より短く、且つ光検知装置がオフ時間に環境光線の強さが既定値とは異なるのを検知させると、調光タイミング制御器によりランプが制御される。【選択図】図２０
0003198073.tif 000002
【実用新案登録請求の範囲】
【請求項１】
制御回路及び前記制御回路に電気的に接続されるランプからなる照明本体と、
前記制御回路に接続され、且つ導通調光信号及び停止調光信号を発信させる調光タイミング制御器と、
前記制御回路に接続され、環境光線の強さの検知に用いられる光検知装置を備え、
ここでは、前記導通調光信号が前記制御回路に送信されると導通期間が発生し、前記導通期間に前記ランプを発光させ、前記停止調光信号が前記制御回路に送信されるとオフ時間が発生し、前記オフ時間に前記ランプを消灯させ、また、
前記オフ時間は人間の視覚が持続する時間より短く、且つ前記光検知装置が前記オフ時間に前記環境光線の強さが既定値とは異なるのを検知させると、前記調光タイミング制御器により前記ランプが制御されることを特徴とする光制御照明装置。
【請求項２】
物体の移動を感知させるための感知素子を更に備え、且つ前記感知素子は前記照明本体に設置されると共に前記制御回路に電気的に接続されることを特徴とする、請求項１記載の光制御照明装置。
【請求項３】
前記光制御照明装置は感知式ＬＥＤランプ、感知式直管形ＬＥＤランプ、感知式ライト、及び感知式作業用照明の内の少なくとも何れか１つであり、前記感知式ライトは感知式シーリングライト或いは感知式ガーデンライトの内の少なくとも何れか１つであり、前記感知式作業用照明は噴霧式感知式作業用照明或いは加湿式感知式作業用照明の内の少なくとも何れか１つであることを特徴とする、請求項２記載の光制御照明装置。
【請求項４】
前記感知式ＬＥＤランプは前記照明本体として用いられるランプ本体を備え、且つ前記ランプ本体は更にオスのコネクター、ランプハウジング、ＬＥＤランプセット、及びランプシェードを少なくとも備え、前記オスのコネクターは前記ランプハウジングの端部に設置され、前記ＬＥＤランプセット及び前記ランプシェードは共に前記ランプハウジング中の前記端部に対応させる他端部に設置され、且つ前記ランプシェードは前記ＬＥＤランプセットに覆設され、なお、前記ランプハウジングは放熱構造になり、前記放熱構造の内部には前記端部及び前記他端部に連通される取り付け穴が開設されると共に前記制御回路の内の少なくとも一部の部材が納置され、且つ前記放熱構造の外側壁には放熱フィンが設置され、前記オスのコネクターは前記放熱構造の前記端部に設置され、前記ＬＥＤランプセット及び前記ランプシェードは共に前記放熱構造の前記他端部に設置されるか、或いは、前記感知式直管形ＬＥＤランプは前記照明本体として用いられる直管形ＬＥＤランプ本体を含み、且つ前記直管形ＬＥＤランプ本体は更に２つの直管形ＬＥＤランプの端部、非閉鎖型円形ライトハウジング、ＬＥＤランプセット、及びライトシェードを少なくとも有し、前記２つの直管形ＬＥＤランプの端部は前記非閉鎖型円形ライトハウジングの両端部に設置され、前記ＬＥＤランプセット及び前記ライトシェードは共に前記非閉鎖型円形ライトハウジングの開口箇所に結合され、且つ前記ライトシェードは前記ＬＥＤランプセットに覆設され、また、前記非閉鎖型円形ライトハウジングは非閉鎖型円形放熱構造であり、前記非閉鎖型円形放熱構造の外側壁には放熱フィンが設置され、前記２つの直管形ＬＥＤランプの端部は前記非閉鎖型円形放熱構造の両端部に設置され、前記ＬＥＤランプセット及び前記ライトシェードは共に前記非閉鎖型円形放熱構造の開口箇所に結合されるか、或いは、前記感知式ライトが前記感知式シーリングライト、前記感知式ガーデンライト、前記噴霧式感知式作業用照明、及び前記加湿式感知式作業用照明の内の少なくとも何れか１つである場合、前記ランプは複数のＬＥＤダイス（ｄｉｅｓ）を含むＬＥＤランプセットであり、ないしは前記ランプはタングステンランプセットまたは蛍光灯セットであることを特徴とする、請求項３記載の光制御照明装置。
【請求項５】
前記光制御照明装置は前記照明本体に設置されると共に前記制御回路に電気的に接続される電磁波無線通信モジュールを更に備え、前記電磁波無線通信モジュールは不可視光線波長域に属する電磁波無線通信モジュールであり、且つ前記電磁波無線通信モジュールは３１３．３２５ＭＨｚ無線通信モジュール、４３３ＭＨｚ無線通信モジュール、４１８ＭＨｚ無線通信モジュール、２．４ＧＨｚ無線通信モジュール、５．８ＧＨｚ無線通信モジュール、１０ＧＨｚ無線通信モジュール、ブルートゥース無線通信モジュール、Ｗｉ−Ｆｉ無線通信モジュール、近距離無線通信モジュール、Ｚ−Ｗａｖｅ無線通信モジュール、及びＺｉｇＢｅｅ無線通信モジュールの内の少なくとも何れか１つであるか、或いは、前記光制御照明装置は前記照明本体に設置されると共に前記制御回路に電気的に接続される電磁波無線通信モジュールを更に備え、前記電磁波無線通信モジュールは可視光線波長域に属する電磁波無線通信モジュールであることを特徴とする、請求項１記載の光制御照明装置。
【請求項６】
前記光制御照明装置は更に前記照明本体に設置される音楽プレーヤー及び／或いは安全監視装置を少なくとも備え、前記音楽プレーヤー或いは前記安全監視装置は前記制御回路に電気的に接続されることを特徴とする、請求項１記載の光制御照明装置。
【請求項７】
前記光制御照明装置が屋外用の光制御照明装置に応用される場合、前記光制御照明装置は更に前記制御回路に電気的に接続される太陽光電池を少なくとも備えることを特徴とする、請求項１記載の光制御照明装置。
【請求項８】
更に前記照明本体に電気的に接続される蓄電装置を少なくとも備え、家庭用電源が給電状態にある場合、前記照明本体は前記家庭用電源及び前記蓄電装置の内の少なくとも何れか１つを選択に制御し前記ランプに給電させ、前記家庭用電源が停電状態にある場合、少なくとも前記蓄電装置から前記ランプに給電されることを特徴とする、請求項１記載の光制御照明装置。
【請求項９】
第一ランプ、第一通信モジュール、調光タイミング制御器、光検知装置、及び前記第一ランプ、前記第一通信モジュール、前記調光タイミング制御器並びに前記光検知装置に電気的に接続される第一制御回路で構成される第一光制御照明装置と、
第二ランプ、第二通信モジュール、及び前記第二ランプ並びに前記第二通信モジュールに電気的に接続される第二制御回路で構成される第二光制御照明装置を備え、
ここでは、前記調光タイミング制御器は前記第二制御回路に接続されると共に導通調光信号及び停止調光信号を発信させ、前記導通調光信号が前記制御回路に送信されると導通期間が発生し、前記導通期間に前記ランプを発光させ、前記停止調光信号が前記制御回路に送信されるとオフ時間が発生し、前記オフ時間に前記ランプを消灯させ、
また、前記オフ時間は人間の視覚が持続する時間より短く、且つ前記光検知装置が前記オフ時間に前記環境光線の強さが既定値とは異なるのを検知させると、前記調光タイミング制御器は前記ランプを制御させることを特徴とする光制御照明セット。
【請求項１０】
前記第一光制御照明装置は物体の移動を感知させると共に前記第一制御回路に電気的に接続される第一感知素子を更に備え、また、前記第一感知素子の環境感知結果に応じ、前記第一通信モジュールと第二通信モジュールとの間には通信チャンネルが確立し、前記第一ランプ及び／或いは前記第二ランプの明暗機能を制御させることを特徴とする、請求項９記載の光制御照明セット。
【請求項１１】
前記第一光制御照明装置は能動制御機能を有する光制御照明装置であり、前記第二光制御照明装置は受動制御機能を有する光制御照明装置であり、前記第一光制御照明装置は前記環境感知結果に応じて前記第一ランプの明暗機能を能動制御させ、且つ前記第二光制御照明装置は受動的に前記第一光制御照明装置からの制御指令に従って前記第二ランプの明暗機能を制御させることを特徴とする、請求項１０記載の光制御照明セット。
【請求項１２】
前記第二光制御照明装置は、前記環境感知結果に応じて前記第一通信モジュールと第二通信モジュールとの間に前記通信チャンネルを確立させ、前記第一ランプ及び／或いは前記第二ランプの明暗機能を制御させる第二感知素子を更に備えることを特徴とする、請求項１０ないしは１１の何れか１項記載の光制御照明セット。
【請求項１３】
前記第一光制御照明装置及び前記第二光制御照明装置は共に能動制御機能及び受動制御機能を兼ね備える光制御照明装置であり、これら前記光制御照明装置は自動的に実行されると共に照明制御プログラムに基づいて前記第一ランプ及び／或いは前記第二ランプの明暗機能を制御させることを特徴とする、請求項１２記載の光制御照明セット。
【請求項１４】
光制御照明装置の点灯或いは消灯の制御に用いられる制御部を備える光制御照明装置であって、周囲の環境光の明度を計測させるための光制御部を更に備え、前記制御部及び前記光制御部は均しく前記光制御照明装置の内部に設置され、前記制御部は前記光制御部に接続され、また、前記制御部は前記光制御照明装置の点灯後に前記光制御照明装置の一定間隔での消灯の制御に用いられ、前記光制御部は前記光制御照明装置の消灯期間に周囲の環境光の明度の計測を行うことを特徴とする光制御照明装置。
【請求項１５】
前記制御部は前記光制御部による周囲の環境光の明度の計測結果に基づいて前記光制御照明装置の点灯或いは消灯を制御させ、且つ前記光制御部は感光性感知回路であることを特徴とする、請求項１４記載の光制御照明装置。
【請求項１６】
前記光制御照明装置は人間が存在するか否かを感知させるための感知部を更に備え、且つ前記感知部は前記制御部に接続され、また、前記制御部は前記光制御部による周囲の環境光の明度の計測結果、及び感知部による前記光制御照明装置の照射範囲内に人間が存在するか否かの感知結果に基づいて前記光制御照明装置の点灯或いは消灯を制御させることを特徴とする、請求項１４記載の光制御照明装置。
【請求項１７】
複数のＬＥＤダイス（ｄｉｅｓ）を含むＬＥＤランプセットを更に備え、且つこれら前記ＬＥＤダイス（ｄｉｅｓ）の各ダイス（ｄｉｅｓ）の色温度、明度、或いは彩度は完全に同じであるか、または、少なくとも一部のダイス（ｄｉｅｓ）の色温度、明度、或いは彩度は他の部分のダイス（ｄｉｅｓ）とは異なることを特徴とする、請求項１４記載の光制御照明装置。
【請求項１８】
前記光制御照明装置は感知式ＬＥＤランプ、感知式直管形ＬＥＤランプ、感知式ライト、及び感知式作業用照明の内の少なくとも何れか１つであり、また、前記感知式ライトは感知式シーリングライト或いは感知式ガーデンライトの内の少なくとも何れか１つであり、前記感知式作業用照明は噴霧式感知式作業用照明或いは加湿式感知式作業用照明の内の少なくとも何れか１つであることを特徴とする、請求項１４記載の光制御照明装置。
【請求項１９】
照明本体、調光タイミング制御器、及び光検知装置を提供し、前記照明本体は制御回路及びランプを備え、前記ランプ、前記調光タイミング制御器、及び前記光検知装置は前記制御回路に電気的に接続されるステップ（ａ）と、
前記調光タイミング制御器を起動させて導通調光信号を発信させ、前記導通調光信号が前記制御回路に送信されると導通期間が発生し、前記ランプが前記導通期間に発光するステップ（ｂ）と、
前記調光タイミング制御器を起動させて停止調光信号を発信させ、前記停止調光信号が前記制御回路に送信されるとオフ時間が発生し、前記ランプは前記オフ時間に消灯し、また、前記オフ時間は人間の視覚が持続する時間より短いステップ（ｃ）と、
前記光検知装置は前記オフ時間に環境光線の強さを検知させ、前記環境光線の強さが既定値とは異なるのを検知させると、前記調光タイミング制御器は対応させて前記ランプを制御させるステップ（ｄ）を少なくとも含むことを特徴とする光制御照明装置に応用される制御方法。
【請求項２０】
ステップ（ｄ）は、
前記光検知装置が前記環境光線の強さが前記既定値より弱いのを検知させると、前記調光タイミング制御器は対応させて第一明度信号を前記制御回路に送信させ、前記ランプの明るさ調整或いは維持を行うステップ（ｄ１）と、
前記光検知装置が前記環境光線の強さが前記既定値より弱くないのを検知させると、前記調光タイミング制御器は対応させて第二明度信号を前記制御回路に送信させ、前記ランプの暗さ調整を行うステップ（ｄ２）と、
前記光検知装置が前記環境光線の強さが前記既定値より弱くないのを検知させると、前記調光タイミング制御器は対応させて停止調光信号を前記制御回路に発信させ、前記ランプを停止させるステップ（ｄ３）を更に含むことを特徴とする、請求項１９記載の光制御照明装置に応用される制御方法。
【請求項２１】
前記制御回路は感知素子に電気的に接続され、前記感知素子は物体の移動を感知させると共に前記照明本体に設置されることを特徴とする、請求項２０記載の光制御照明装置に応用される制御方法。
【請求項２２】
光制御照明装置の点灯後に、一定間隔で前記光制御照明装置を消灯させるステップ（ａ’）と、
消灯期間に環境光の明度の計測を行うステップ（ｂ’）と、
前記環境光の明度が既定値より大きい場合、前記光制御照明装置は消灯状態に保たれ、ステップ（ｂ’）に戻り、
前記環境光の明度が前記既定値に等しいかより小さい場合、前記光制御照明装置を点灯させてステップ（ａ’）に戻るステップ（ｃ’）を含むことを特徴とする光制御照明装置に適用される制御方法。
【請求項２３】
前記ステップ（ｃ’）は、具体的には、環境光の明度が既定値より大きい場合、前記光制御照明装置は消灯状態を保持させてステップ（ｂ’）に戻り、前記環境光の明度が前記既定値に等しいかより小さい場合、前記光制御照明装置の照射範囲内に人間が存在するか否かを更に判断させ、人間が存在しない場合、前記光制御照明装置は消灯状態を保持させてステップ（ｂ’）に戻り、人間が存在する場合、前記光制御照明装置は点灯されてステップ（ａ’）に戻ることを特徴とする、請求項２２記載の光制御照明装置に適用される制御方法。
【考案の詳細な説明】
【技術分野】
【０００１】
本考案は、照明技術分野に関し、より詳しくは、環境光線の強さの計測を行う光制御照明装置及びその制御方法に関する。
【背景技術】
【０００２】
現在の技術では、照明は様々な室内外の照明として自動車、作業台、廊下、オフィス、一般家庭、道路、庭、公共施設等に幅広く使用されており、生活を便利で豊かにしている。よくある照明装置としては少なくともランプ、ライト、各種灯具（例えば、シーリングライトやガーデンライト）、各種作業用照明（例えば、加湿式ないしは噴霧式作業用照明）等があり、また、使用される光源としては、タングステンランプ、蛍光灯、または環境保護と節電機能を両立させるＬＥＤライト等がある。
【０００３】
照明装置の更なる節電効果を追及するため、現在では照明範囲中での人体の移動を感知させる赤外線センサー（ＰＩＲ）感知素子を利用して、使用者がいるか否かの感知を実行し、使用者がいる場合に照明装置に照明を点けるように命令を発する。これにより、ある程度の節電の目的を実現させている。
【考案の概要】
【考案が解決しようとする課題】
【０００４】
しかしながら、単純な赤外線センサー（ＰＩＲ）感知素子を使用して感知を行う場合、照明範囲中に使用者がいるか否かを感知させて照明装置を点灯させるが、この際照明範囲に既に十分な明るさの環境光線がある場合、照明装置を使用するのはエネルギーの浪費になった。同様に、使用者が一般的な照明のスイッチを入れ使用した後、環境光線が変化し環境光線の明るさが十分であると判断した場合、使用者が自分で再度照明のスイッチを切らなければならない。照明のスイッチと使用者との間に距離があったり、使用者の体が不自由であったりの場合、頻繁にスイッチを入れ切りするのは困難であった。
【０００５】
一方、他の環境保護に優れた節電照明の動作原理は、１つの感光性感知回路を設置させて周囲の環境光の明度を感知し、明度が既定値より大きい場合は周囲の環境が十分明るい状態を意味するので、節電のため照明は消灯状態を保持させる。明度が既定値より小さい場合は周囲の環境が暗い状態を意味するので、節電照明は自動的に点灯する。照明が点灯した後、感光性感知回路はすぐに、または一定間隔毎に周囲の環境光の明度を感知し、明度が既定値より大きい場合は自動的に消灯させ、節電の目的を達成させる。しかしながら、節電照明のこの動作方式には問題があった。感光性感知回路が周囲の環境光の明度を感知させる場合、節電照明自体が照射する光の影響を避けるため、感光性感知回路を節電照明の照射範囲外に設置し、感光性感知回路が感知した周囲の環境光の明度が実際の環境での明度であると証明する。このため、作業員が節電照明を装設させる場合は、節電照明とは別の場所に感光性感知回路を装設させ、両者を接続させねばならない。これでは装設が不便であり、また設備コストも上昇した。例えば、中間に長い導線を引いて感光性感知回路に接続させる場合、装設可能な場所の条件も厳しくなり、感光性感知回路は必ず節電照明の照射範囲外に装設しなければならない。
【０００６】
そこで、本考案に係る照明装置は環境光線の強さを計測して照明装置を点灯させるべき否かを判断させ、節電に優れ、且つ感光性感知回路も照明モジュールから離して独立させて設置させる必要が無く、業界が解決を望んでいた問題を解決させる。
【０００７】
本考案は、このような従来の問題に鑑みてなされたものである。上記課題解決のため、本考案は、光検知装置を結合させた光制御照明装置及びその制御方法を提供することを主目的とする。こうして、光制御照明装置の装設では、光制御照明装置を単独で装設させるのみで光制御の節電効果を達成させる。
【０００８】
本考案の他の目的は、光検知装置が結合される光制御照明セットを提供する。
【課題を解決するための手段】
【０００９】
上述した課題を解決し、目的を達成するために、本考案に係る光制御照明装置は、制御回路及び前記制御回路に電気的に接続されるランプからなる照明本体と、前記制御回路に接続され、且つ導通調光信号及び停止調光信号を発信させる調光タイミング制御器と、前記制御回路に接続され、環境光線の強さの検知に用いられる光検知装置を備え、ここでは、前記導通調光信号が前記制御回路に送信されると導通期間が発生し、前記導通期間に前記ランプを発光させ、前記停止調光信号が前記制御回路に送信されるとオフ時間が発生し、前記オフ時間に前記ランプを消灯させ、また、前記オフ時間は人間の視覚が持続する時間より短く、且つ前記光検知装置が前記オフ時間に前記環境光線の強さが既定値とは異なるのを検知させると、前記調光タイミング制御器により前記ランプが制御されることを特徴とする。
【００１０】
好ましくは、前記光制御照明装置物体の移動を感知させるための感知素子を更に備え、且つ前記感知素子は前記照明本体に設置されると共に前記制御回路に電気的に接続される。
【００１１】
好ましくは、前記光制御照明装置は感知式ＬＥＤランプ、感知式直管形ＬＥＤランプ、感知式ライト、及び感知式作業用照明の内の少なくとも何れか１つであり、前記感知式ライトは感知式シーリングライト或いは感知式ガーデンライトの内の少なくとも何れか１つであり、前記感知式作業用照明は噴霧式感知式作業用照明或いは加湿式感知式作業用照明の内の少なくとも何れか１つである。
【００１２】
好ましくは、前記前記感知式ＬＥＤランプは前記照明本体として用いられるランプ本体を備え、且つ前記ランプ本体は更にオスのコネクター、ランプハウジング、ＬＥＤランプセット、及びランプシェードを少なくとも備え、前記オスのコネクターは前記ランプハウジングの端部に設置され、前記ＬＥＤランプセット及び前記ランプシェードは共に前記ランプハウジング中の前記端部に対応させる他端部に設置され、且つ前記ランプシェードは前記ＬＥＤランプセットに覆設され、なお、前記ランプハウジングは放熱構造になり、前記放熱構造の内部には前記端部及び前記他端部に連通される取り付け穴が開設されると共に前記制御回路の内の少なくとも一部の部材が納置され、且つ前記放熱構造の外側壁には放熱フィンが設置され、前記オスのコネクターは前記放熱構造の前記端部に設置され、前記ＬＥＤランプセット及び前記ランプシェードは共に前記放熱構造の前記他端部に設置されるか、或いは、前記感知式直管形ＬＥＤランプは前記照明本体として用いられる直管形ＬＥＤランプ本体を含み、且つ前記直管形ＬＥＤランプ本体は更に２つの直管形ＬＥＤランプの端部、非閉鎖型円形ライトハウジング、ＬＥＤランプセット、及びライトシェードを少なくとも有し、前記２つの直管形ＬＥＤランプの端部は前記非閉鎖型円形ライトハウジングの両端部に設置され、前記ＬＥＤランプセット及び前記ライトシェードは共に前記非閉鎖型円形ライトハウジングの開口箇所に結合され、且つ前記ライトシェードは前記ＬＥＤランプセットに覆設され、また、前記非閉鎖型円形ライトハウジングは非閉鎖型円形放熱構造であり、前記非閉鎖型円形放熱構造の外側壁には放熱フィンが設置され、前記２つの直管形ＬＥＤランプの端部は前記非閉鎖型円形放熱構造の両端部に設置され、前記ＬＥＤランプセット及び前記ライトシェードは共に前記非閉鎖型円形放熱構造の開口箇所に結合されるか、或いは、前記感知式ライトが前記感知式シーリングライト、前記感知式ガーデンライト、前記噴霧式感知式作業用照明、及び前記加湿式感知式作業用照明の内の少なくとも何れか１つである場合、前記ランプは複数のＬＥＤダイス（ｄｉｅｓ）を含むＬＥＤランプセットであり、ないしは前記ランプはタングステンランプセットまたは蛍光灯セットである。
【００１３】
好ましくは、前記照明本体に設置されると共に前記制御回路に電気的に接続される電磁波無線通信モジュールを更に備え、前記電磁波無線通信モジュールは不可視光線波長域に属する電磁波無線通信モジュールであり、且つ前記電磁波無線通信モジュールは３１３．３２５ＭＨｚ無線通信モジュール、４３３ＭＨｚ無線通信モジュール、４１８ＭＨｚ無線通信モジュール、２．４ＧＨｚ無線通信モジュール、５．８ＧＨｚ無線通信モジュール、１０ＧＨｚ無線通信モジュール、ブルートゥース無線通信モジュール、Ｗｉ−Ｆｉ無線通信モジュール、近距離無線通信（ＮＦＣ）モジュール、Ｚ−Ｗａｖｅ無線通信モジュール、及びＺｉｇＢｅｅ無線通信モジュールの内の少なくとも何れか１つであるか、或いは、前記光制御照明装置は前記照明本体に設置されると共に前記制御回路に電気的に接続される電磁波無線通信モジュールを更に備え、前記電磁波無線通信モジュールは可視光線波長域に属する電磁波無線通信モジュールである。
【００１４】
好ましくは、前記光制御照明装置は更に前記照明本体に設置される音楽プレーヤー及び／或いは安全監視装置を少なくとも備え、前記音楽プレーヤー或いは前記安全監視装置は前記制御回路に電気的に接続される。
【００１５】
好ましくは、前記光制御照明装置が屋外用の光制御照明装置に応用される場合、前記光制御照明装置は更に前記制御回路に電気的に接続される太陽光電池を少なくとも備える。
【００１６】
好ましくは、更に前記照明本体に電気的に接続される蓄電装置を少なくとも備え、家庭用電源が給電状態にある場合、前記照明本体は前記家庭用電源及び前記蓄電装置の内の少なくとも何れか１つを選択に制御し前記ランプに給電させ、前記家庭用電源が停電状態にある場合、少なくとも前記蓄電装置から前記ランプに給電される。
【００１７】
第一ランプ、第一通信モジュール、調光タイミング制御器、光検知装置、及び前記第一ランプ、前記第一通信モジュール、前記調光タイミング制御器並びに前記光検知装置に電気的に接続される第一制御回路で構成される第一光制御照明装置と、第二ランプ、第二通信モジュール、及び前記第二ランプ並びに前記第二通信モジュールに電気的に接続される第二制御回路で構成される第二光制御照明装置を備え、ここでは、前記調光タイミング制御器は前記第二制御回路に接続されると共に導通調光信号及び停止調光信号を発信させ、前記導通調光信号が前記制御回路に送信されると導通期間が発生し、前記導通期間に前記ランプを発光させ、前記停止調光信号が前記制御回路に送信されるとオフ時間が発生し、前記オフ時間に前記ランプを消灯させ、また、前記オフ時間は人間の視覚が持続する時間より短く、且つ前記光検知装置が前記オフ時間に前記環境光線の強さが既定値とは異なるのを検知させると、前記調光タイミング制御器は前記ランプを制御させることを特徴とする。
【００１８】
好ましくは、前記第一光制御照明装置は物体の移動を感知させると共に前記第一制御回路に電気的に接続される第一感知素子を更に備え、また、前記第一感知素子の環境感知結果に応じ、前記第一通信モジュールと第二通信モジュールとの間には通信チャンネルが確立し、前記第一ランプ及び／或いは前記第二ランプの明暗機能を制御させる。
【００１９】
好ましくは、前記第一光制御照明装置は能動制御機能を有する光制御照明装置であり、前記第二光制御照明装置は受動制御機能を有する光制御照明装置であり、前記第一光制御照明装置は前記環境感知結果に応じて前記第一ランプの明暗機能を能動制御させ、且つ前記第二光制御照明装置は受動的に前記第一光制御照明装置からの制御命令に従って前記第二ランプの明暗機能を制御させる。
【００２０】
好ましくは、前記第二光制御照明装置は、前記環境感知結果に応じて前記第一通信モジュールと第二通信モジュールとの間に前記通信チャンネルを確立させ、前記第一ランプ及び／或いは前記第二ランプの明暗機能を制御させる第二感知素子を更に備える。
【００２１】
好ましくは、前記第一光制御照明装置及び前記第二光制御照明装置は共に能動制御機能及び受動制御機能を兼ね備える光制御照明装置であり、これら前記光制御照明装置は自動的に実行されると共に照明制御プログラムに基づいて前記第一ランプ及び／或いは前記第二ランプの明暗機能を制御させる。
【００２２】
さらに、上述した目的を達成するために、本考案に係る光制御照明装置は、前記光制御照明装置の点灯或いは消灯の制御に用いられる制御部を備える光制御照明装置であって、周囲の環境光の明度を計測させるための光制御部を更に備え、前記制御部及び前記光制御部は均しく前記光制御照明装置の内部に設置され、前記制御部は前記光制御部に接続され、また、前記制御部は前記光制御照明装置の点灯後に前記光制御照明装置の一定間隔での消灯の制御に用いられ、前記光制御部は前記光制御照明装置の消灯期間に周囲の環境光の明度の計測を行う。
【００２３】
好ましくは、前記制御部は前記光制御部による周囲の環境光の明度の計測結果に基づいて前記光制御照明装置の点灯或いは消灯を制御させ、且つ前記光制御部は感光性感知回路である。
【００２４】
好ましくは、前記光制御照明装置は人間が存在するか否かを感知させるための感知部を更に備え、且つ前記感知部は前記制御部に接続され、また、前記制御部は前記光制御部による周囲の環境光の明度の計測結果、及び感知部による前記光制御照明装置の照射範囲内に人間が存在するか否かの感知結果に基づいて前記光制御照明装置の点灯或いは消灯を制御させる。
【００２５】
好ましくは、複数のＬＥＤダイス（ｄｉｅｓ）を含むＬＥＤランプセットを更に備え、且つこれら前記ＬＥＤダイス（ｄｉｅｓ）の各ダイス（ｄｉｅｓ）の色温度、明度、或いは彩度は完全に同じであるか、または、少なくとも一部のダイス（ｄｉｅｓ）の色温度、明度、或いは彩度は他の部分のダイス（ｄｉｅｓ）とは異なる。
【００２６】
好ましくは、前記光制御照明装置は感知式ＬＥＤランプ、感知式直管形ＬＥＤランプ、感知式ライト、及び感知式作業用照明の内の少なくとも何れか１つであり、また、前記感知式ライトは感知式シーリングライト或いは感知式ガーデンライトの内の少なくとも何れか１つであり、前記感知式作業用照明は噴霧式感知式作業用照明或いは加湿式感知式作業用照明の内の少なくとも何れか１つである。
【００２７】
上述した目的を達成するために、本考案に係る光制御照明装置に応用される制御方法は、
照明本体、調光タイミング制御器、及び光検知装置を提供し、前記照明本体は制御回路及びランプを備え、前記ランプ、前記調光タイミング制御器、及び前記光検知装置は前記制御回路に電気的に接続されるステップ（ａ）と、
前記調光タイミング制御器を起動させて導通調光信号を発信させ、前記導通調光信号が前記制御回路に送信されると導通期間が発生し、前記ランプが前記導通期間に発光するステップ（ｂ）と、
前記調光タイミング制御器を起動させて停止調光信号を発信させ、前記停止調光信号が前記制御回路に送信されるとオフ時間が発生し、前記ランプは前記オフ時間に消灯し、また、前記オフ時間は人間の視覚が持続する時間より短いステップ（ｃ）と、
前記光検知装置は前記オフ時間に環境光線の強さを検知させ、前記環境光線の強さが既定値とは異なるのを検知させると、前記調光タイミング制御器は対応させて前記ランプを制御させるステップ（ｄ）を少なくとも含むことを特徴とする。
【００２８】
好ましくは、前記光制御照明装置に応用される制御方法のステップ（ｄ）は、
前記光検知装置が前記環境光線の強さが前記既定値より弱いのを検知させると、前記調光タイミング制御器は対応させて第一明度信号を前記制御回路に送信させ、前記ランプの明るさ調整或いは維持を行うステップ（ｄ１）と、
前記光検知装置が前記環境光線の強さが前記既定値より弱くないのを検知させると、前記調光タイミング制御器は対応させて第二明度信号を前記制御回路に送信させ、前記ランプの暗さ調整を行うステップ（ｄ２）と、
前記光検知装置が前記環境光線の強さが前記既定値より弱くないのを検知させると、前記調光タイミング制御器は対応させて停止調光信号を前記制御回路に発信させ、前記ランプを停止させるステップ（ｄ３）を更に含む。
【００２９】
好ましくは、前記制御回路は感知素子に電気的に接続され、前記感知素子は物体の移動を感知させると共に前記照明本体に設置される。
【００３０】
上述した目的を達成するために、本考案に係る光制御照明装置に適用される制御方法は、
光制御照明装置の点灯後に、一定間隔で前記光制御照明装置を消灯させるステップ（ａ’）と、
消灯期間に環境光の明度の計測を行うステップ（ｂ’）と、
前記環境光の明度が既定値より大きい場合、前記光制御照明装置は消灯状態に保たれ、ステップ（ｂ’）に戻り、
前記環境光の明度が前記既定値に等しいかより小さい場合、前記光制御照明装置を点灯させてステップ（ａ’）に戻るステップ（ｃ’）を含む。
【００３１】
好ましくは、前記ステップ（ｃ’）は、具体的には、環境光の明度が既定値より大きい場合、前記光制御照明装置は消灯状態を保持させてステップ（ｂ’）に戻り、前記環境光の明度が前記既定値に等しいかより小さい場合、前記光制御照明装置の照射範囲内に人間が存在するか否かを更に判断させ、人間が存在しない場合、前記光制御照明装置は消灯状態を保持させてステップ（ｂ’）に戻り、人間が存在する場合、前記光制御照明装置は点灯されてステップ（ａ’）に戻ることを特徴とする。
【考案の効果】
【００３２】
本考案によれば、調光タイミング制御器が設置されて照明本体の点灯及び消灯を制御させ、オフ時間（照明本体の消灯時）に光検知装置は周囲の環境光線の強さを検知し、環境光が十分に明るいかを判断させる。もし十分に明るければ、照明を落とすか照明本体を消灯させる。もし明るさが不十分ならば、照明の明かりを調整させるか照明本体の本来の明るさを維持させる。前記光検知装置は照明本体から離して独立させて設置させる必要はない。また、オフ時間は人間の視覚が持続する時間より短いため、人間の目では光制御照明装置の明滅を感じ取れない。このほか、環境光線を計測して光制御照明装置を点灯させるべきか否かを判断させることで、さらなる節電及び照射範囲の明度の平均化の目的を達成させる。また、使用者が照明のスイッチを頻繁に入れ切りさせる必要がなく、照明のスイッチは長期起動状態を維持できる。
【図面の簡単な説明】
【００３３】
【図１】本考案に係る光制御照明装置がマイクロ波感知素子及び電磁波無線通信モジュールを有するマイクロ波感知式ＬＥＤの外観斜視の概略図である。
【図２】図１に示すマイクロ波感知式ＬＥＤにおいて、ＬＥＤセットとランプハウジングを組合せる外観斜視の概略図である。
【図３】図１に示すマイクロ波感知式ＬＥＤにおけるランプハウジングの斜視の概略図である。
【図４】図１に示すマイクロ波感知式ＬＥＤにおけるランプハウジングを他の角度から見た斜視の概略図である。
【図５】図１に示すマイクロ波感知式ＬＥＤにおける制御回路の構成を示す斜視の概略図である。
【図６】図１に示すマイクロ波感知式ＬＥＤにおいて、マイクロ波感知素子の一部回路構成を示す斜視の概略図である。
【図７】本考案に係る光制御照明装置の一部回路を示す構成図である。
【図８】本考案に係る光制御照明装置の制御方法を示すフローチャートである。
【図９】本考案に係る光制御照明装置及び感知素子を組合せる制御方法のフローチャートである。
【図１０】本考案に係る光制御照明装置がＰＩＲ感知素子及び電磁波無線通信モジュールを有するＰＩＲ感知式ＬＥＤの外観斜視の概略図である。
【図１１】本考案に係る光制御照明装置がマイクロ波感知素子及び電磁波無線通信モジュールを有するマイクロ波感知式直管形ＬＥＤランプの外観斜視の概略図である。
【図１２】本考案に係る光制御照明装置がＰＩＲ感知素子及び電磁波無線通信モジュールを有するＰＩＲ感知式直管形ＬＥＤランプの外観斜視の概略図である。
【図１３】本考案に係る光制御照明装置がマイクロ波感知素子及び電磁波無線通信モジュールを有するマイクロ波感知式シーリングライトの外観斜視の概略図である。
【図１４】本考案に係る光制御照明装置がマイクロ波感知素子及び電磁波無線通信モジュールを有するマイクロ波感知式作業用照明ライトの外観斜視の概略図である。
【図１５】本考案に係る光制御照明装置がマイクロ波感知素子及び電磁波無線通信モジュールを有するマイクロ波感知式ガーデンライトの外観斜視の概略図である。
【図１６】本考案に係る光制御照明装置により光制御照明群を組合せる第一好ましい群の制御実施概念の概略図である。
【図１７】本考案に係る光制御照明装置により光制御照明群を組合せる第二好ましい群の制御実施概念の概略図である。
【図１８】図１６及び図１７に示す好ましい群の制御方法を一体に結合する第三好ましい群の制御実施概念の概略図である。
【図１９】本考案に係る光制御照明群の実施工程のフローチャートである。
【図２０】本考案に係る光制御照明装置のＬＥＤセット及び光検知装置を示す周期比較図（一）である。
【図２１】本考案に係る光制御照明装置のＬＥＤセット及び光検知装置を示す周期比較図（二）である。
【図２２】本考案に係る光制御照明装置のＬＥＤセット及び光検知装置を示す周期比較図（三）である。
【図２３】本考案に係る光制御照明群の実施工程の別のフローチャートである。
【考案を実施するための形態】
【００３４】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００３５】
（第１実施形態）
以下、本考案に係る光制御照明装置を図１〜６に基づいて説明する。図１は本考案に係る光制御照明装置がマイクロ波感知素子及び電磁波無線通信モジュールを有するマイクロ波感知式ＬＥＤの外観斜視の概略図である。図２は図１に示すマイクロ波感知式ＬＥＤにおいて、ＬＥＤセットとランプハウジングを組合せる外観斜視の概略図である。図３は図１に示すマイクロ波感知式ＬＥＤにおけるランプハウジングの斜視の概略図である。図４は図１に示すマイクロ波感知式ＬＥＤにおけるランプハウジングを他の角度から見た斜視の概略図である。図５は図１に示すマイクロ波感知式ＬＥＤにおける制御回路の構成を示す斜視の概略図である。図６は図１に示すマイクロ波感知式ＬＥＤにおいて、マイクロ波感知素子の一部回路構成を示す斜視の概略図である。
【００３６】
前記光制御照明装置１はマイクロ波感知式ＬＥＤランプであり、照明本体となるランプ本体１１、調光タイミング制御器１５、及び光検知装置１６を備える。前記ランプ本体１１は制御回路１１１及び前記制御回路１１１に電気的に接続されるランプを少なくとも具備し、且つランプはＬＥＤランプセット１１２として設置され、前記調光タイミング制御器１５及び前記光検知装置１６は前記制御回路１１１に接続される。図７は本考案に係る光制御照明装置の一部回路を示す構成図である。ちなみに、本考案に係る光制御照明装置の実施態様では、制御回路１１１及び調光タイミング制御器１５等の部材が別々に設置される以外、製造者は制御回路１１１（制御ＩＣチップＤが配置される）及び調光タイミング制御器１５等の部材を統合させて１つの制御装置（即ち、制御部Ａ）として製造してもよく、故に前記制御部Ａは制御回路１１１及び調光タイミング制御器１５の機能を有し、製造者は実際に装設する状況に合わせて設置の仕方を変化させることが可能であり、制限されない。また、前記光検知装置１６は光制御部Ｂに属し、好ましくは光抵抗器或いは感光性感知回路であるが、但しこれらは例に過ぎず、また制御部Ａ及び光制御部Ｂは好ましくは光制御照明装置１の内部に設置される。当然ながら、前記光制御照明装置１にはレギュレータＩＣチップＥが配置され、万が一入力電圧に変化があっても、安定的な出力電流を維持させる。
【００３７】
続いて、前記調光タイミング制御器１５は導通調光信号及び停止調光信号を発信させる。前記導通調光信号が前記制御回路１１１に送信されると導通期間が発生し、前記導通期間に前記ＬＥＤランプセット１１２を点灯させる。前記停止調光信号が前記制御回路１１１に送信されるとオフ時間が発生し、前記オフ時間に前記ＬＥＤランプセット１１２を消灯させる。また、前記光検知装置１６は前記オフ時間に高速に瞬間的に環境光線の強さの検知を行う。前記環境光線の強さが既定値とは異なる場合、前記調光タイミング制御器１５により前記ＬＥＤランプセット１１２の明暗の調整、維持、或いは停止等の動作が制御される。
【００３８】
図８は本考案に係る光制御照明装置１の制御方法を示すフローチャートである（同時に図７参照）。光制御照明装置１が消灯状態にある場合（即ち、照明が消灯）、光制御部Ｂは即時に周囲の環境光の明度の計測を行い、計測結果を制御部Ａに伝送させる。計測された明度が既定値より大きい場合（一般的には日中の明るさ）、制御部Ａにより光制御照明装置１が制御されて消灯状態に保たれる。計測された明度が既定値に等しいかより小さい場合（一般的には夜間の明るさ）、制御部Ａにより光制御照明装置１が制御されて点灯する。
【００３９】
光制御照明装置１の点灯後（即ち、照明の点灯）、一定間隔で制御部Ａが自動的に光制御照明装置１を消灯させる。この消灯時間に光制御部Ｂは周囲の環境光の明度の計測を行い、計測結果を制御部Ａに伝送させる。計測された明度が既定値より大きい場合、制御部Ａにより光制御照明装置が制御されて消灯状態を保持させる。計測された明度が既定値に等しいかより小さい場合、制御部Ａにより光制御照明装置１が制御されて点灯する。また、光制御照明装置１が消灯してから環境光の明度の計測を行い、計測された明度が既定値に等しいかより小さい場合に再点灯を行う過程に必要な処理時間は２４分の１秒から１ミリ秒の間であり、詳細は後述する。
【００４０】
簡潔にまとめれば、光制御照明装置１が消灯状態にある場合、照射される光の影響を受けず、光制御部Ｂは正常に光の計測を行え、制御部Ａは計測結果に基づいて精確な判断を下して正確に制御を実行できる。但し、光制御照明装置１が点灯状態にある場合、光制御照明装置１から照射される光自体が光制御部Ｂの計測に影響を与えるため、光制御照明装置１を短時間暫定的に停止させることで、光制御部Ｂは周囲の環境光の精確な判断が可能になり、制御部Ａが正確に判断するための根拠を提供する。
【００４１】
図９は本考案に係る光制御照明装置及び感知素子を組合せる制御方法のフローチャートである（同時に図７参照）。ちなみに、感知部Ｃは赤外線センサー（ＰＩＲ）感知素子、マイクロ波（Ｍｉｃｒｏｗａｖｅ）感知素子、或いは特殊な光波の感知装置を使用して人間や物体の移動があるかを感知させる照明の感知制御に用いられる感知素子であり、制限はない。
【００４２】
同様に、前記感知部Ｃは好ましくは少なくとも一部分が光制御照明装置１の内部に設置され、制御部Ａに接続される。具体的な接続方式は図７に示す。感知部Ｃが感知した後に感知結果は制御部Ａに伝送される。制御部Ａは感知部Ｃの感知結果及び光制御部Ｂの計測結果に基づいて前記光制御照明装置１の点灯や消灯を制御させる。具体的な制御のフローチャートは図９に示す。詳細は下述する。光制御照明装置１が消灯状態にある場合、光制御部Ｂは周囲の環境光の明度の計測を行い、感知部Ｃは周囲の環境の感知を行い、光制御部Ｂ及び感知部Ｃの計測結果及び感知結果は制御部Ａに伝送される。光制御部Ｂにより計測された明度が既定値より大きい場合（日中の明るさ）、感知部Ｃによる周囲に人間がいるか否かの感知結果に拘わらず、制御部Ａは光制御照明装置１を制御させて消灯状態に保持させる。光制御部Ｂにより計測された明度が既定値に等しいかより小さい場合（夜間の明るさ）、制御部Ａは感知部Ｃによる感知結果に基づいて判断し、感知部Ｃの感知結果により人間が存在するか否かを判断させる。光制御照明装置１の照射範囲内に人間がいない場合、制御部Ａは光制御照明装置１を制御させて消灯状態に保持させる。人間がいる場合、制御部Ａは光制御照明装置１を制御させて点灯させる。
【００４３】
光制御照明装置１の点灯後、制御部Ａは光制御照明装置１を自動的に一定間隔で消灯させる。この消灯時間に光制御部Ｂは周囲の環境光の明度の計測を行い、計測結果は制御部Ａに伝送される。光制御部Ｂにより計測された明度が既定値より大きい場合、制御部Ａにより光制御照明装置１が制御されて消灯状態に保持される。光制御部Ｂにより計測された明度が既定値に等しいかより小さい場合、同様に、制御部Ａの感知部Ｃの即時感知結果に基づいて更に判断を下し、光制御照明装置１の照射範囲内に人間がいるか否かを判定させる。光制御照明装置１の照射範囲内に人間がいない場合、制御部Ａは光制御照明装置１を制御させて消灯状態に保持させる。人間がいる場合、制御部Ａは光制御照明装置１を制御させて点灯させる。
【００４４】
前記実施方式は、環境光の明度及び実際の使用上の要求（即ち、照射範囲内に人間がいるか否か）等の要素を総合し、光制御部Ｂ及び制御部Ａを有し、光制御照明装置１の内部には人間の存在を感知させるための感知部Ｃが増設され、光制御照明装置１のスイッチの制御を改善させ、環境保護及び節電の効果を達成させる。
【００４５】
ちなみに、一般的な人間の目の視覚が持続する時間は２４分の１秒であり、そこで光の明滅が人間の目で知覚されることが無いように、前記オフ時間は２４分の１秒より短く設定され、使用者の視覚ではＬＥＤランプセット１１２の暫定的な短い消灯を知覚できない。前記オフ時間は２４分の１秒から１ミリ秒の間が好ましく、使用者の使用状況に応じて時間設定は改変可能である。これにより、前記オフ時間にＬＥＤランプセット１１２は暫定的に消灯することで熱源が持続的に発生しないという長所も生まれ、ＬＥＤランプセット１１２が過熱するのをさらに防ぐ。また、当然ながらＬＥＤランプセット１１２中の各ランプは人間の視覚が持続する時間より短い間隔で交代に発光することで、各ランプの点灯時間を協調させ、熱量の発生を減らしつつ変わらぬ照明効果を達成させる。このような設置に制限があるわけではない。
【００４６】
さらに、光制御照明装置の好ましい実施方法に関しては、図１９に示す好ましい制御の実施ステップ、及び図２０から図２２に示す本考案に係る光制御照明装置１のＬＥＤランプセット１１２及び光検知装置の周期比較図を参照し、さらに図１乃至図７、及び図１９乃至図２２を参照にする。先ず、照明本体、調光タイミング制御器１５、及び光検知装置１６を提供し、前記照明本体は制御回路１１１及びランプ（前述と同じく、本実施形態では前記ランプにはＬＥＤランプセット１１２が選択される）を備えるステップＳ１を実行する。ここでは、前記ＬＥＤランプセット１１２、前記調光タイミング制御器１５、及び前記光検知装置１６は前記制御回路１１１に電気的に接続される。ステップＳ２では、前記調光タイミング制御器１５を起動させて導通調光信号を発信させ、前記導通調光信号が前記制御回路１１１に送信されると導通期間Ｔ１１が発生し、前記導通期間Ｔ１１に前記ＬＥＤランプセット１１２を点灯させる。その後、前記調光タイミング制御器１５を起動させて停止調光信号を発信させ、前記停止調光信号が前記制御回路１１１に送信されるとオフ時間Ｔ１２が発生し、前記オフ時間Ｔ１２に前記ＬＥＤランプセット１１２を消灯させ、また前記オフ時間Ｔ１２は人間の視覚が持続する時間Ｔより短いステップＳ３を実行する。ステップＳ４では、前記光検知装置１６は前記オフ時間Ｔ１２に環境光線の強さを検知し、検知された前記環境光線の強さが既定値とは異なる場合、前記調光タイミング制御器１５により前記ＬＥＤランプセット１１２が制御される。ステップＳ４には、前記光検知装置１６により検知された前記環境光線の強さが前記既定値より小さい場合、前記調光タイミング制御器１５により第一明度信号が前記制御回路１１１に送信され、前記ＬＥＤランプセット１１２の調光或いは明るさを維持させるステップＳ４１を更に含む。図２０に示すように、前記ＬＥＤランプセット１１２の初期の電圧レベルはＬであり、前記オフ時間Ｔ１２が過ぎた後、前記ＬＥＤランプセット１１２は本来の電圧レベルＬまで回復し、即ち照明の導通期間Ｔ１３まで回復し、前記ＬＥＤランプセット１１２の本来の明度まで回復する。或いは、ステップＳ４２では、前記光検知装置１６により検知された前記環境光線の強さが前記既定値より小さくない場合、前記調光タイミング制御器１５は第二明度信号を前記制御回路１１１に送信させて前記ＬＥＤランプセット１１２の明るさを落とす。図２１に示すように、前記ＬＥＤランプセット１１２の初期の電圧レベルはＬであり、前記オフ時間Ｔ１２が経過した後、前記ＬＥＤランプセット１１２が電圧レベルＬまで回復せずに電圧レベルＬ１まで低下すると、前記ＬＥＤランプセット１１２の明度を落とす。或いは、ステップＳ４３では、前記光検知装置１６により検知された前記環境光線の強さが前記既定値より小さくない場合、前記調光タイミング制御器１５は停止調光信号を前記制御回路１１１に送信させて前記ＬＥＤランプセット１１２を停止させる。図２２に示すように、前記ＬＥＤランプセット１１２の初期の電圧レベルはＬであり、前記オフ時間Ｔ１２が経過した後、前記ＬＥＤランプセット１１２が電圧レベルＬまで回復せずに電圧レベル０まで低下すると、前記ＬＥＤランプセット１１２を停止させ、即ちオフ時間Ｔ１４となる。また、図２０から図２２から理解できるように、人間の視覚が持続する最長時間Ｔは前記ＬＥＤランプセット１１２の消灯時間（即ち、前記オフ時間Ｔ１２）よりずっと大きく、このため前記ＬＥＤランプセット１１２は極短時間内に消灯されて人間の目では察知できず、人間の目に不快感を与えない。さらには、光検知装置１６は前記オフ時間Ｔ１２内に検知を行うため、当然ながら、光検知装置１６は前記オフ時間Ｔ１２より短い検知時間Ｔ２で検知動作を完了させる。ここから分かるように、本考案に係る光制御照明装置１は環境光線の強さを計測し、ＬＥＤランプセット１１２の明暗を調整させ、使用者に良好な光線を維持させて使用させる。これにより、使用者は環境光線の強さの変化に合わせて頻繁に照明のスイッチを入れ切りせずによくなる。
【００４７】
なお、図２３は本考案に係る光制御照明群の実施工程の別のフローチャートである。この工程の概念は前述のフローチャートの概念に相似し、異なる点は、前記制御装置が制御回路１１１及び調光タイミング制御器１５の機能を備える以外、感知素子を更に増設させる点である。先ず、照明本体、光検知装置１６、及び感知素子を提供し、前記照明本体は制御装置及びランプを備えるステップＳ’１を実行する。ここでは、前記ランプ、前記光検知装置１６、及び前記感知素子は前記制御装置に電気的に接続される。次に、前記制御装置を起動させて導通調光信号を発信させ、導通期間Ｔ１１を発生させ、前記導通期間に前記ランプを点灯させるステップＳ’２を実行する。続いて、前記制御装置を起動させて停止調光信号を発信させ、オフ時間Ｔ１２を発生させ、前記オフ時間Ｔ１２に前記ランプを消灯させるステップＳ’３を実行する。前記オフ時間Ｔ１２は人間の視覚が持続する時間より短い。最後に、前記光検知装置は前記オフ時間Ｔ１２に環境光線の強さを検知させ、検知された前記環境光線の強さが既定値とは異なる場合、前記制御装置は前記ランプを制御させるステップＳ’４を実行する。ちなみに、ステップＳ’１の後には、前記感知素子により物体の移動が感知されると、前記制御装置は前記ランプを触発させるステップＳ’５を更に含む。これにより、本考案に係る光制御照明装置の前記感知素子の感知範囲内に人間が通ると、光制御照明装置は触発されて範囲内に照射を行う。これにより、本考案に係る光制御照明装置に前述の光検知装置１６が組み合わされて運用され、さらなる節電の目的を達成させる。
【００４８】
さらに、本考案に係る光制御照明装置１はマイクロ波感知素子１２及び電磁波無線通信モジュール１３を更に備える。前記ランプ本体１１に設置されると共に前記制御回路１１１に電気的に接続される前記マイクロ波感知素子１２により物体の移動が感知される。このほか、前記電磁波無線通信モジュール１３は前記照明本体１１に設置され、且つ前記電磁波無線通信モジュール１３は前記制御回路１１１に電気的に接続される。これにより、前記マイクロ波感知式ＬＥＤランプ１は前記電磁波無線通信モジュール１３により他の照明装置（感知式及び非感知式の照明装置）との間でセットの照明の制御を行え、或いは他の付加機能を実行させるための無線通信の制御を行う。
【００４９】
ちなみに、本考案に使用される無線通信モジュールは不可視光線波長域に属する電磁波無線通信モジュールであり、且つ前記電磁波無線通信モジュールは少なくとも、３１３．３２５ＭＨｚ無線通信モジュール、４３３ＭＨｚ無線通信モジュール、４１８  ＭＨｚ無線通信モジュール、２．４ＧＨｚ無線通信モジュール、５．８ＧＨｚ無線通信モジュール、１０ＧＨｚ無線通信モジュール、ブルートゥース無線通信モジュール、Ｗｉ−Ｆｉ無線通信モジュール、近距離（ＮＦＣ）無線通信モジュール、Ｚ−Ｗａｖｅ無線通信モジュール、或いはＺｉｇＢｅｅ無線通信モジュールの内の何れか１つである。或いは、本考案で使用される無線通信モジュールは可視光線波長域に属する電磁波無線通信モジュールである。つまり、可視光線波長域か不可視光線波長域かによらず、全て本考案の無線通信モジュールに応用可能である。
【００５０】
また、本考案に係る光制御照明装置がランプ或いはライトである場合、ランプセットは複数のＬＥＤダイス（ｄｉｅｓ）を備えるＬＥＤランプセットであり、且つこれら前記ＬＥＤダイス（ｄｉｅｓ）中の各の色温度、明度、或いは彩度は全て完全に同じであるか、或いは少なくとも一部のダイス（ｄｉｅｓ）の色温度、明度、或いは彩度は他の部分のダイス（ｄｉｅｓ）とは異なる。また、ランプ或いはライトと組み合わせて使用される感知素子は、ランプ或いはライトの照明本体に直接結合され（後述する）、別々には（または分離）設置されない。
【００５１】
さらに、本考案に係る光制御照明装置が感知式灯具或いは感知式作業用照明の何れか１つである場合、前記感知式灯具は少なくとも感知式シーリングライトか感知式ガーデンライトであり、前記感知式作業用照明は少なくとも噴霧式感知式作業用照明ないしは加湿式感知式作業用照明であるが、これらに限定はされない。
【００５２】
また、前記感知式灯具或いは前記感知式作業用照明に使用されるランプセットは、複数のＬＥＤダイス（ｄｉｅｓ）を備えるＬＥＤランプセット、タングステンランプセット、ないしは蛍光灯セットである。当然ながら、前記ＬＥＤランプセットは複数のＬＥＤダイス（ｄｉｅｓ）を具備するＬＥＤランプセットであり、且つこれら前記ＬＥＤダイス（ｄｉｅｓ）中の各ダイス（ｄｉｅｓ）の色温度、明度、或いは彩度は皆完全に同じであるか、少なくとも一部のダイス（ｄｉｅｓ）の色温度、明度、或いは彩度は他の部分のダイス（ｄｉｅｓ）とは異なる。
【００５３】
さらに、前記感知式灯具或いは前記感知式作業用照明に組み合わされて使用される感知素子は、例えば、赤外線センサー（ＰＩＲ）感知素子、ないしはマイクロ波（Ｍｉｃｒｏｗａｖｅ）感知素子であり、前記感知式灯具或いは前記感知式作業用照明に設置されるランプやライトの照明本体に直接結合されるか、もしくは感知素子はその中に設置され光源を提供するランプやライトとは別々に（或いは分離）設置されるが、但し前記感知式灯具或いは前記感知式作業用照明の照明本体とは結合される。
【００５４】
なお、本考案に係る光制御照明装置は更に、光制御照明装置の照明本体に設置される音楽プレーヤー装置及び／或いは安全監視装置を少なくとも備える。前記音楽プレーヤー装置及び／或いは前記安全監視装置は制御回路１１１に電気的に接続される。
【００５５】
例えば、本考案に係る光制御照明装置に結合される前記音楽プレーヤー装置は、音楽の自動再生機能を内蔵するプレーヤー装置であり、或いは上述の電磁波無線通信モジュールに更に結合され、使用者が操作する携帯電子装置（例えば、ｉＰｈｏｎｅやｉＰａｄ）ないしは他の音楽プレーヤーから発信された可聴周波信号を受信し、同調して音楽を再生させる。ここでは、ＬＥＤランプセット中の一部のダイス（ｄｉｅｓ）の彩度が他の部分のダイス（ｄｉｅｓ）と異なり、音楽のリズムに合わせて照明の光線を変化させる。
【００５６】
さらに前記安全監視装置について説明する。例えば、本考案に係る光制御照明装置は監視カメラ装置と上述の電磁波無線通信モジュールとを結合させて、監視カメラの映像の判断結果に基づいて、制御命令を出して特定の範囲に広範囲の強力な照明を照射させる。
【００５７】
さらに、本考案に係る光制御照明装置は前記照明本体に電気的に接続される蓄電装置を少なくとも備える。家庭用電源が給電状態にある場合、前記照明本体は前記家庭用電源及び前記蓄電装置から１つを選択して制御させて前記ランプに給電させる。蓄電装置は太陽光電池蓄電装置であり、優先的に給電を行う。これにより、現在提唱されている節電や緑化等の社會情勢に更に適合させる。前記家庭用電源が停電状態にある場合、少なくとも前記蓄電装置により前記ランプに給電が行われ、停電時でも緊急給電が行える。
【００５８】
なお、例えば、本考案に係る光制御照明装置に上述の電磁波無線通信モジュールを組み合わせ、照明空間内の各範囲の明暗の調整効果を発揮させ、さらに平均的且つ精確に照射させる。
【００５９】
当然ながら、本考案に係る光制御照明装置は屋外の光制御照明装置に応用される場合、前記光制御照明装置は更に太陽光電池を少なくとも備え、予備電源として使用する。前記太陽光電池は上述の制御回路１１１に電気的に接続される。
【００６０】
以下に各種の光制御照明装置が感知式照明装置に結合される例を挙げ、上述の説明と合わせてより詳しく説明する。
【００６１】
前記ランプ本体１１は更にオスのコネクター１１３、ランプハウジング１１４、及びランプシェード１１５を少なくとも備える。前記オスのコネクター１１３は前記ランプハウジング１１４の端部１１４１に設置され、前記ＬＥＤランプセット１１２及び前記ランプシェード１１５は共に前記ランプハウジング１１４の前記端部１１４１に対応する他の端部１１４２に設置され、且つ前記ランプシェード１１５は前記ＬＥＤランプセット１１２に覆設される。
【００６２】
前記ランプハウジング１１４は放熱構造になり、前記放熱構造１１４の内部には前記端部１１４１及び前記他の端部１１４２に連通される取り付け穴１１４０が開設され、前記制御回路１１１の少なくとも一部の部材を納置させ、且つ前記放熱構造１１４の外側壁には放熱フィン１１４３が設置される。好ましくは、前記放熱構造１１４はアルミ合金或いは他の金属合金の放熱構造であり、放熱能力を有する他の材料（例えば、多孔質セラミック）により形成される放熱構造でもよい。また、取り付け穴１１４０及び／或いは放熱フィン１１４３の設計により、前記ＬＥＤランプセット１１２から発生した熱を高速に放熱させる。
【００６３】
前記ランプシェード１１５は少なくともブロック型シェード、円柱型シェード、或いは球形シェードの内の何れか１つであるが、但しこれらに限定されない。
【００６４】
当然ながら、前記マイクロ波感知素子１２の具体的な実施概念については図６を参照する。即ち、図示されるように、前記マイクロ波感知素子１２には送受信アンテナ１２１０を有するマイクロ波受信回路１２１が設置される。また、マイクロ波技術に習熟する者ならば、マイクロ波に前記ランプシェード１１５を通過させて移動体を感知することが可能である。
【００６５】
当然ながら、前記マイクロ波感知式ＬＥＤライト１は、音楽プレーヤー装置及び／或いは安全監視装置等の付加の電子装置１４を更に備える。
【００６６】
図１０は本考案に係る光制御照明装置がＰＩＲ感知素子及び電磁波無線通信モジュールを有するＰＩＲ感知式ＬＥＤの外観斜視の概略図である。前記ＰＩＲ感知式ＬＥＤ２はランプ本体２１、ＰＩＲ感知素子２２、電磁波無線通信モジュール２３、調光タイミング制御器２５、及び光検知装置２６を備える。また、前記ランプ本体２１はオスのコネクター２１３、ランプハウジング２１４、及びランプシェード２１５を少なくとも含む。前記ランプ本体２１が更に具備する制御回路（図示せず）は、図１に図示する制御回路１１１に相似し、但しＰＩＲ感知素子２２に電気的に接続されるように改変されており、これにより感知部の制御回路の細部の設計は図１に示す制御回路１１１とは相違する。然しながら、本技術分野に習熟する者には説明不要である。
【００６７】
前記ランプ本体２１が更に具備するＬＥＤランプセット（図示せず）の、前記オスのコネクター２１３、前記ランプハウジング２１４、前記電磁波無線通信モジュール２３、前記調光タイミング制御器２５、及び前記光検知装置２６は皆図１に図示するものと同じ機能を有する部材或いは構造になるため、再述は省く。
【００６８】
このほか、前記ランプシェード２１５と図１ランプシェード１１５との差異は、前記ＰＩＲ感知素子２２が感知を行う際に、前記ランプシェード２１５に遮断されないようにするため、前記ＰＩＲ感知素子２２は突出するように、或いは少なくとも前記ランプシェード２１５から露出するように平らに貼設されるように設計される点である。
【００６９】
当然ながら、前記ＰＩＲ感知式ＬＥＤ２は音楽プレーヤー装置や安全監視装置等の付加の電子装置２４を更に備える。
【００７０】
このほか、図７乃至図９に示す回路図及び制御方法は、図１０に図示する光制御照明装置に応用可能であり、再述は省略する。
【００７１】
図１１は本考案に係る光制御照明装置がマイクロ波感知素子及び電磁波無線通信モジュールを有するマイクロ波感知式直管形ＬＥＤランプの外観斜視の概略図である。前記マイクロ波感知式ＬＥＤライト３は照明本体として用いられるライト本体３１、マイクロ波感知素子３２、電磁波無線通信モジュール３３、調光タイミング制御器と３５、及び光検知装置３６を備える。前記ライト本体３１は２つの直管形ＬＥＤランプの端部３１３、直管形ＬＥＤランプハウジング３１４、及び直管形ＬＥＤランプシェード３１５を少なくとも含む。前記ライト本体３１が更に具備する制御回路（図示せず）は、図１に図示する制御回路１１１に類似するため、再述は省略する。
【００７２】
前記ライト本体３１が更に具備する直管型ＬＥＤランプセット（図示せず）、前記２つの直管形ＬＥＤランプの端部３１３、前記電磁波無線通信モジュール３３、前記調光タイミング制御器と３５、及び前記光検知装置３６は、皆図１に図示するものと同じ機能を有する部材或いは構造であるため、再度の説明はしない。
【００７３】
また、本実施形態による前記直管形ＬＥＤランプハウジング３１４は、非閉鎖型円形直管形ＬＥＤランプハウジング（或いは非閉鎖型円形放熱構造）であり、前記非閉鎖型円形放熱構造３１４の外側壁には放熱フィン３１４３が設置され、前記２つの直管形ＬＥＤランプの端部３１３は前記非閉鎖型円形放熱構造３１４の２つの端部に設置され、前記直管型ＬＥＤランプセット及び前記直管形ＬＥＤランプシェード３１５は共に前記非閉鎖型円形放熱構造３１４の開口箇所に結合され、前記非閉鎖型円形放熱構造３１４に結合されて閉鎖型円形ライト本体となる。前記直管形ＬＥＤランプシェード３１５はＰＶＣ直管形ＬＥＤランプシェードであり、但しこれに限定されない。
【００７４】
好ましくは、直管形ＬＥＤランプハウジングは非封閉直管形ＬＥＤランプハウジングであり、但し円形や円形に近似する形状、或いは楕円形や他の特殊な円弧状の非封閉直管形ＬＥＤランプハウジングに限定されるわけではない。このほか、他の非閉鎖型の１／２、もしくは３／４の円形直管形ＬＥＤランプハウジングでもよく、且つ制限を設けるわけではない。
【００７５】
当然ながら、前記マイクロ波感知式ＬＥＤライト３は音楽プレーヤー装置や安全監視装置等の付加の電子装置３４を更に備える。
【００７６】
図１２は本考案に係る光制御照明装置がＰＩＲ感知素子及び電磁波無線通信モジュールを有するＰＩＲ感知式直管形ＬＥＤランプの外観斜視の概略図である。ＰＩＲ感知式直管形ＬＥＤランプ４は照明本体として用いられるライト本体４１、ＰＩＲ感知素子４２、電磁波無線通信モジュール４３、調光タイミング制御器４５、及び光検知装置４６を備える。また、前記ライト本体４１は２つの直管形ＬＥＤランプの端部４１３、直管形ＬＥＤランプハウジング４１４、及び直管形ＬＥＤランプシェード４１５を少なくとも含む。
【００７７】
前記ＰＩＲ感知素子４２及び前記ライト本体４１が更に具備する制御回路（図示せず）は、図１０に図示する前記ＰＩＲ感知素子２２及び制御回路に類似するため、再述しない。
【００７８】
このほか、前記ライト本体４１が更に具備する直管型ＬＥＤランプセット（図示せず）、前記２つの直管形ＬＥＤランプの端部４１３、前記直管形ＬＥＤランプハウジング４１４、前記直管形ＬＥＤランプシェード４１５、前記電磁波無線通信モジュール４３、前記調光タイミング制御器４５、前記光検知装置４６、及び前記直管形ＬＥＤランプハウジング４１４の外側壁には放熱フィン４１４３が設置され、全て図１１に図示するものと同じ機能を有する部材或いは構造であるため、再度の説明は省く。
【００７９】
当然ながら、前記ＰＩＲ感知式直管形ＬＥＤランプ４は音楽プレーヤー装置や安全監視装置等の付加の電子装置４４を更に備える。
【００８０】
図１３は本考案に係る光制御照明装置がマイクロ波感知素子及び電磁波無線通信モジュールを有するマイクロ波感知式シーリングライトの外観斜視の概略図である。前記マイクロ波感知式シーリングライト５は照明本体として用いられるシーリングライト本体５１、マイクロ波感知素子５２、電磁波無線通信モジュール５３、調光タイミング制御器５５、及び光検知装置５６を備える。シーリングライト本体５１は制御回路（図示せず）及び環形ＬＥＤランプセット５１２を少なくとも含み、且つ前記マイクロ波感知素子５２はシーリングライト本体５１内に装設される。
【００８１】
当然ながら、前記マイクロ波感知式シーリングライト５は音楽プレーヤー装置や安全監視装置等の付加の電子装置５４を更に備える。
【００８２】
図１４は本考案に係る光制御照明装置がマイクロ波感知素子及び電磁波無線通信モジュールを有するマイクロ波感知式作業用照明の外観斜視の概略図である。前記マイクロ波感知式作業用照明６（例えば、噴霧式或いは加湿式マイクロ波感知式作業用照明）は照明本体として用いられる作業用照明本体６１、マイクロ波感知素子６２、電磁波無線通信モジュール６３、調光タイミング制御器６５、及び光検知装置６６を備える。作業用照明本体６１は作業用照明ライトシェード６１５、回転可能フック６１６、制御回路（図示せず）、及びＬＥＤランプセット（図示せず）を少なくとも含み、且つ前記マイクロ波感知素子６２は作業用照明本体６１内に装設される。
【００８３】
当然ながら、前記マイクロ波感知式作業用照明６は音楽プレーヤー装置や安全監視装置等の付加の電子装置６４を更に備える。
【００８４】
図１５は本考案に係る光制御照明装置がマイクロ波感知素子及び電磁波無線通信モジュールを有するマイクロ波感知式ガーデンライトの外観斜視の概略図である。前記マイクロ波感知式ガーデンライト７は照明本体として用いられるガーデンライト本体７１、マイクロ波感知素子７２、電磁波無線通信モジュール７３、調光タイミング制御器７５、及び光検知装置７６を備える。ガーデンライト本体７１は制御回路（図示せず）及びＬＥＤランプセット（図示せず）を少なくとも含み、且つ前記マイクロ波感知素子７２はガーデンライト本体７１内に装設される。
【００８５】
当然ながら、前記マイクロ波感知式ガーデンライト７は音楽プレーヤー装置、安全監視装置及び／或いは太陽光電池等の付加の電子装置７４を更に備える。
【００８６】
以下に本考案に係る上述の各種光制御照明装置の、照明セットの制御の仕方についての具体な方法を説明する。
【００８７】
図１６は本考案に係る光制御照明装置に光制御照明セットを組合せる好ましい第１セットの制御の実施概念の概略図である。空間８内には合計５個の光制御照明装置８１〜８５を有し、光制御照明装置８１は調光タイミング制御器、光検知装置、感知素子、及び電磁波無線通信モジュールを備える光制御照明装置であり、且つ前記光制御照明装置８１は能動制御機能を有する光制御照明装置である。
【００８８】
これら前記光制御照明装置８２〜８５は、電磁波無線通信モジュールを有する非能動制御の光制御照明装置であり（即ち、一般的な照明装置）、且つこれら前記光制御照明装置８２〜８５の内の何れか１つの光制御照明装置は受動制御機能を有する光制御照明装置であり、受動的に無線を受信して照明の制御を行うのみで能動的に制御命令（例えば、照明制御命令）を他の光制御照明装置に発することは出来ない。
【００８９】
これにより、前記光制御照明装置８１は周囲の環境の感知結果に基づいて本体のランプセットの明暗機能を能動的に制御させ、且つ電磁波無線通信方式により同調して照明制御命令Ｃ１を発し、これら前記光制御照明装置８２〜８５は受動的に前記照明制御命令Ｃ１に応じてこれら前記光制御照明装置８２〜８５の各ランプセットの明暗機能を制御させる。
【００９０】
上述の方法の長所としては、同一の空間に１つの高コストの光制御照明装置のみを装設させ、光制御照明装置はコストの低い一般的な部材を使用することで空間全体に対する照明の平均的な照射を制御させる点である。この方法により光制御照明装置にかかる初期設置コストを大幅に削減させる。
【００９１】
当然ながら、上述の照明制御命令Ｃ１は一例に過ぎず、上述の他の付加機能を実行させる制御命令も含まれる。
【００９２】
図１７は本考案に係る光制御照明装置により光制御照明セットを組合せる好ましい第２セットの制御の実施概念の概略図である。空間９内には合計５個の光制御照明装置９１〜９５を有し、これら前記感知式光制御照明装置９１〜９５は皆調光タイミング制御器、光検知装置、感知素子、及び電磁波無線通信モジュールを備える感知式光制御照明装置であり、且つこれら前記光制御照明装置９１〜９５は全て能動制御機能／受動制御機能を兼ね備える感知式光制御照明装置である。
【００９３】
これにより、これら前記光制御照明装置９１〜９５は個別に感知される範囲内の環境光の明暗の変化に応じて電磁波無線通信方式により照明制御命令Ｃ２を他の光制御照明装置に発信させるか応答させる。これにより、これら前記光制御照明装置９１〜９５は照明制御プログラムに基づいて相互に協調してより精確に照明を平均的に照射させる。
【００９４】
当然ながら、上述の照明制御命令Ｃ２は一例に過ぎず、上述の他の付加機能を実行させる制御命令も含まれる。
【００９５】
他の好ましい方法では、異なる空間或いは範囲の間での照明セットの制御を行う。換言すれば、感知式光制御照明装置に増設される電磁波無線通信モジュールにより解決させる。例えば、図１８は、図１６及び図１７に示す好ましいセットでの制御方式が結合されて一体になる好ましい第３セットの制御の実施概念の概略図である。ここでは、前記感知式光制御照明装置８１は照明制御命令Ｃ３及び他の照明制御プログラムにより、これら前記光制御照明装置９１〜９５と通信を行い、協調して機能を実行させる。
【００９６】
以上を総合すると、本考案は調光タイミング制御器が設置されて照明本体の点灯及び消灯を制御させ、オフ時間（照明本体の消灯時）に光検知装置が周囲の環境光線の強さを検知させ、環境光の明度が十分か判断させる。環境光の明度が十分ならば、照明を落とすか照明本体を停止させる。環境光の明度が不十分ならば、調光するか照明本体の本来の明るさを維持させる。前記光検知装置は照明本体から離して独立させて設置させる必要はない。また、オフ時間は人間の視覚が持続する時間より短く、故に人間の目では光制御照明装置の明滅を知覚できない。このほか、環境光線を計測して光制御照明装置が照明を点灯させるべきか判断させ、且つ節電及び照明範囲の明度の平均化の目的を更に達成させる。使用者が頻繁に照明のスイッチを入れ切りする必要がなく、照明のスイッチを長時間起動状態に維持させる。
【００９７】
以上、本考案の実施形態について図面を参照して詳述したが、具体的な構成はこの実施形態に限られるものではなく、本考案の要旨を逸脱しない範囲の設計変更等も含まれる。
【符号の説明】
【００９８】
１１  ランプ本体、
１  調光タイミング制御器、
１６  光検知装置、
１１１  制御回路、
１１２  ＬＥＤランプセット、
１２  マイクロ波感知素子、
１３  電磁波無線通信モジュール、
１１３  オスのコネクター、
１１４  ランプハウジング、
１１５  ランプシェード、
１１４０  取り付け穴、
１１４３  放熱フィン、
３１４３  放熱フィン、
１２１０  送受信アンテナ、
１４  電子装置、
２４  電子装置、
３４  電子装置、
４４  電子装置、
５４  電子装置、
６４  電子装置、
７４  電子装置、
２  ＰＩＲ感知式ＬＥＤ、
２１  ランプ本体、
２２  ＰＩＲ感知素子、
２３  電磁波無線通信モジュール、
２５  調光タイミング制御器、
２６  光検知装置、
２１３  オスのコネクター、
２１４  ランプハウジング、
２１５  ランプシェード、
３１  直管形ＬＥＤランプ本体、
３２  ＰＩＲ感知素子、
３３  電磁波無線通信モジュール、
３５  調光タイミング制御器、
３６  光検知装置、
３１３  直管形ＬＥＤランプの端部、
３１４  直管形ＬＥＤランプハウジング、
３１５  直管形ＬＥＤランプシェード、
４  ＰＩＲ感知式直管形ＬＥＤランプ、
４１  直管形ＬＥＤランプ本体、
４２  ＰＩＲ感知素子、
４３  電磁波無線通信モジュール、
４５  調光タイミング制御器、
４６  光検知装置、
４１３  直管形ＬＥＤランプの端部、
４１４  直管形ＬＥＤランプハウジング、
４１５  直管形ＬＥＤランプシェード、
５  マイクロ波感知式シーリングライト、
５１  シーリングライト本体、
５３  電磁波無線通信モジュール、
５５  調光タイミング制御器、
５６  光検知装置、
５１２  環形ＬＥＤランプセット、
６  マイクロ波感知式作業用照明ライト、
６１  作業用照明ライト本体、
６２  マイクロ波感知素子、
６３  電磁波無線通信モジュール、
６５  調光タイミング制御器、
６６  光検知装置、
６１５  作業用照明ライトシェード、
６１６  回転可能フック、
７  マイクロ波感知式ガーデンライト、
７１  ガーデンライト本体、
７２  マイクロ波感知素子、
７３  電磁波無線通信モジュール、
７５  調光タイミング制御器、
７６  光検知装置、
８１  光制御照明装置、
８２  光制御照明装置、
８３  光制御照明装置、
８４  光制御照明装置、
８５  光制御照明装置、
９１  光制御照明装置、
９２  光制御照明装置、
９３  光制御照明装置、
９４  光制御照明装置、
９５  光制御照明装置、
１２１  マイクロ波受信回路、
Ｔ１１  導通期間、
Ｔ  人間の視覚が持続する時間、
Ｔ１２  オフ時間、
Ｔ１３  導通期間、
Ｃ２  照明制御命令、
Ｃ３  照明制御命令。
【図１】
0003198073.tif 000003
【図２】
0003198073.tif 000004
【図３】
0003198073.tif 000005
【図４】
0003198073.tif 000006
【図５】
0003198073.tif 000007
【図６】
0003198073.tif 000008
【図７】
0003198073.tif 000009
【図８】
0003198073.tif 000010
【図９】
0003198073.tif 000011
【図１０】
0003198073.tif 000012
【図１１】
0003198073.tif 000013
【図１２】
0003198073.tif 000014
【図１３】
0003198073.tif 000015
【図１４】
0003198073.tif 000016
【図１５】
0003198073.tif 000017
【図１６】
0003198073.tif 000018
【図１７】
0003198073.tif 000019
【図１８】
0003198073.tif 000020
【図１９】
0003198073.tif 000021
【図２０】
0003198073.tif 000022
【図２１】
0003198073.tif 000023
【図２２】
0003198073.tif 000024
【図２３】
0003198073.tif 000025
【手続補正書】
【提出日】平成26年11月27日(2014.11.27)
【手続補正１】
【補正対象書類名】実用新案登録請求の範囲
【補正対象項目名】全文
【補正方法】変更
【補正の内容】
【実用新案登録請求の範囲】
【請求項１】
制御回路及び前記制御回路に電気的に接続されるランプからなる照明本体と、
前記制御回路に接続され、且つ導通調光信号及び停止調光信号を発信させる調光タイミング制御器と、
前記制御回路に接続され、環境光線の強さの検知に用いられる光検知装置を備え、
ここでは、前記導通調光信号が前記制御回路に送信されると導通期間が発生し、前記導通期間に前記ランプを発光させ、前記停止調光信号が前記制御回路に送信されるとオフ時間が発生し、前記オフ時間に前記ランプを消灯させ、また、
前記オフ時間は人間の視覚が持続する時間より短く、且つ前記光検知装置が前記オフ時間に前記環境光線の強さが既定値とは異なるのを検知させると、前記調光タイミング制御器により前記ランプが制御されることを特徴とする光制御照明装置。
【請求項２】
物体の移動を感知させるための感知素子を更に備え、且つ前記感知素子は前記照明本体に設置されると共に前記制御回路に電気的に接続されることを特徴とする、請求項１記載の光制御照明装置。
【請求項３】
前記光制御照明装置は感知式ＬＥＤランプ、感知式直管形ＬＥＤランプ、感知式ライト、及び感知式作業用照明の内の少なくとも何れか１つであり、前記感知式ライトは感知式シーリングライト或いは感知式ガーデンライトの内の少なくとも何れか１つであり、前記感知式作業用照明は噴霧式感知式作業用照明或いは加湿式感知式作業用照明の内の少なくとも何れか１つであることを特徴とする、請求項２記載の光制御照明装置。
【請求項４】
前記感知式ＬＥＤランプは前記照明本体として用いられるランプ本体を備え、且つ前記ランプ本体は更にオスのコネクター、ランプハウジング、ＬＥＤランプセット、及びランプシェードを少なくとも備え、前記オスのコネクターは前記ランプハウジングの端部に設置され、前記ＬＥＤランプセット及び前記ランプシェードは共に前記ランプハウジング中の前記端部に対応させる他端部に設置され、且つ前記ランプシェードは前記ＬＥＤランプセットに覆設され、なお、前記ランプハウジングは放熱構造になり、前記放熱構造の内部には前記端部及び前記他端部に連通される取り付け穴が開設されると共に前記制御回路の内の少なくとも一部の部材が納置され、且つ前記放熱構造の外側壁には放熱フィンが設置され、前記オスのコネクターは前記放熱構造の前記端部に設置され、前記ＬＥＤランプセット及び前記ランプシェードは共に前記放熱構造の前記他端部に設置されるか、或いは、前記感知式直管形ＬＥＤランプは前記照明本体として用いられる直管形ＬＥＤランプ本体を含み、且つ前記直管形ＬＥＤランプ本体は更に２つの直管形ＬＥＤランプの端部、非閉鎖型円形ライトハウジング、ＬＥＤランプセット、及びライトシェードを少なくとも有し、前記２つの直管形ＬＥＤランプの端部は前記非閉鎖型円形ライトハウジングの両端部に設置され、前記ＬＥＤランプセット及び前記ライトシェードは共に前記非閉鎖型円形ライトハウジングの開口箇所に結合され、且つ前記ライトシェードは前記ＬＥＤランプセットに覆設され、また、前記非閉鎖型円形ライトハウジングは非閉鎖型円形放熱構造であり、前記非閉鎖型円形放熱構造の外側壁には放熱フィンが設置され、前記２つの直管形ＬＥＤランプの端部は前記非閉鎖型円形放熱構造の両端部に設置され、前記ＬＥＤランプセット及び前記ライトシェードは共に前記非閉鎖型円形放熱構造の開口箇所に結合されるか、或いは、前記感知式ライトが前記感知式シーリングライト、前記感知式ガーデンライト、前記噴霧式感知式作業用照明、及び前記加湿式感知式作業用照明の内の少なくとも何れか１つである場合、前記ランプは複数のＬＥＤダイス（ｄｉｅｓ）を含むＬＥＤランプセットであり、ないしは前記ランプはタングステンランプセットまたは蛍光灯セットであることを特徴とする、請求項３記載の光制御照明装置。
【請求項５】
前記光制御照明装置は前記照明本体に設置されると共に前記制御回路に電気的に接続される電磁波無線通信モジュールを更に備え、前記電磁波無線通信モジュールは不可視光線波長域に属する電磁波無線通信モジュールであり、且つ前記電磁波無線通信モジュールは３１３．３２５ＭＨｚ無線通信モジュール、４３３ＭＨｚ無線通信モジュール、４１８ＭＨｚ無線通信モジュール、２．４ＧＨｚ無線通信モジュール、５．８ＧＨｚ無線通信モジュール、１０ＧＨｚ無線通信モジュール、ブルートゥース無線通信モジュール、Ｗｉ−Ｆｉ無線通信モジュール、近距離無線通信モジュール、Ｚ−Ｗａｖｅ無線通信モジュール、及びＺｉｇＢｅｅ無線通信モジュールの内の少なくとも何れか１つであるか、或いは、前記光制御照明装置は前記照明本体に設置されると共に前記制御回路に電気的に接続される電磁波無線通信モジュールを更に備え、前記電磁波無線通信モジュールは可視光線波長域に属する電磁波無線通信モジュールであることを特徴とする、請求項１記載の光制御照明装置。
【請求項６】
前記光制御照明装置は更に前記照明本体に設置される音楽プレーヤー及び／或いは安全監視装置を少なくとも備え、前記音楽プレーヤー或いは前記安全監視装置は前記制御回路に電気的に接続されることを特徴とする、請求項１記載の光制御照明装置。
【請求項７】
前記光制御照明装置が屋外用の光制御照明装置に応用される場合、前記光制御照明装置は更に前記制御回路に電気的に接続される太陽光電池を少なくとも備えることを特徴とする、請求項１記載の光制御照明装置。
【請求項８】
更に前記照明本体に電気的に接続される蓄電装置を少なくとも備え、家庭用電源が給電状態にある場合、前記照明本体は前記家庭用電源及び前記蓄電装置の内の少なくとも何れか１つを選択に制御し前記ランプに給電させ、前記家庭用電源が停電状態にある場合、少なくとも前記蓄電装置から前記ランプに給電されることを特徴とする、請求項１記載の光制御照明装置。
【請求項９】
第一ランプ、第一通信モジュール、調光タイミング制御器、光検知装置、及び前記第一ランプ、前記第一通信モジュール、前記調光タイミング制御器並びに前記光検知装置に電気的に接続される第一制御回路で構成される第一光制御照明装置と、
第二ランプ、第二通信モジュール、及び前記第二ランプ並びに前記第二通信モジュールに電気的に接続される第二制御回路で構成される第二光制御照明装置を備え、
ここでは、前記調光タイミング制御器は前記第一制御回路に接続されると共に導通調光信号及び停止調光信号を発信させ、前記導通調光信号が前記第一制御回路に送信されると導通期間が発生し、前記導通期間に前記第一ランプを発光させ、前記停止調光信号が前記第一制御回路に送信されるとオフ時間が発生し、前記オフ時間に前記第一ランプを消灯させ、
また、前記オフ時間は人間の視覚が持続する時間より短く、且つ前記光検知装置が前記オフ時間に前記環境光線の強さが既定値とは異なるのを検知させると、前記調光タイミング制御器は前記第一ランプを制御させることを特徴とする光制御照明セット。
【請求項１０】
前記第一光制御照明装置は物体の移動を感知させると共に前記第一制御回路に電気的に接続される第一感知素子を更に備え、また、前記第一感知素子の環境感知結果に応じ、前記第一通信モジュールと第二通信モジュールとの間には通信チャンネルが確立し、前記第一ランプ及び／或いは前記第二ランプの明暗機能を制御させることを特徴とする、請求項９記載の光制御照明セット。
【請求項１１】
前記第一光制御照明装置は能動制御機能を有する光制御照明装置であり、前記第二光制御照明装置は受動制御機能を有する光制御照明装置であり、前記第一光制御照明装置は前記環境感知結果に応じて前記第一ランプの明暗機能を能動制御させ、且つ前記第二光制御照明装置は受動的に前記第一光制御照明装置からの制御指令に従って前記第二ランプの明暗機能を制御させることを特徴とする、請求項１０記載の光制御照明セット。
【請求項１２】
前記第二光制御照明装置は、前記環境感知結果に応じて前記第一通信モジュールと第二通信モジュールとの間に前記通信チャンネルを確立させ、前記第一ランプ及び／或いは前記第二ランプの明暗機能を制御させる第二感知素子を更に備えることを特徴とする、請求項１０ないしは１１の何れか１項記載の光制御照明セット。
【請求項１３】
前記第一光制御照明装置及び前記第二光制御照明装置は共に能動制御機能及び受動制御機能を兼ね備える光制御照明装置であり、これら前記光制御照明装置は自動的に実行されると共に照明制御プログラムに基づいて前記第一ランプ及び／或いは前記第二ランプの明暗機能を制御させることを特徴とする、請求項１２記載の光制御照明セット。
【請求項１４】
光制御照明装置の点灯或いは消灯の制御に用いられる制御部を備える光制御照明装置であって、周囲の環境光の明度を計測させるための光制御部を更に備え、前記制御部及び前記光制御部は均しく前記光制御照明装置の内部に設置され、前記制御部は前記光制御部に接続され、また、前記制御部は前記光制御照明装置の点灯後に前記光制御照明装置の一定間隔での消灯の制御に用いられ、前記光制御部は前記光制御照明装置の消灯期間に周囲の環境光の明度の計測を行うことを特徴とする光制御照明装置。
【請求項１５】
前記制御部は前記光制御部による周囲の環境光の明度の計測結果に基づいて前記光制御照明装置の点灯或いは消灯を制御させ、且つ前記光制御部は感光性感知回路であることを特徴とする、請求項１４記載の光制御照明装置。
【請求項１６】
前記光制御照明装置は人間が存在するか否かを感知させるための感知部を更に備え、且つ前記感知部は前記制御部に接続され、また、前記制御部は前記光制御部による周囲の環境光の明度の計測結果、及び感知部による前記光制御照明装置の照射範囲内に人間が存在するか否かの感知結果に基づいて前記光制御照明装置の点灯或いは消灯を制御させることを特徴とする、請求項１４記載の光制御照明装置。
【請求項１７】
複数のＬＥＤダイス（ｄｉｅｓ）を含むＬＥＤランプセットを更に備え、且つこれら前記ＬＥＤダイス（ｄｉｅｓ）の各ダイス（ｄｉｅｓ）の色温度、明度、或いは彩度は完全に同じであるか、または、少なくとも一部のダイス（ｄｉｅｓ）の色温度、明度、或いは彩度は他の部分のダイス（ｄｉｅｓ）とは異なることを特徴とする、請求項１４記載の光制御照明装置。
【請求項１８】
前記光制御照明装置は感知式ＬＥＤランプ、感知式直管形ＬＥＤランプ、感知式ライト、及び感知式作業用照明の内の少なくとも何れか１つであり、また、前記感知式ライトは感知式シーリングライト或いは感知式ガーデンライトの内の少なくとも何れか１つであり、前記感知式作業用照明は噴霧式感知式作業用照明或いは加湿式感知式作業用照明の内の少なくとも何れか１つであることを特徴とする、請求項１４記載の光制御照明装置。
【手続補正３】
【補正対象書類名】明細書
【補正対象項目名】０００１
【補正方法】変更
【補正の内容】
【０００１】
本考案は、照明技術分野に関し、より詳しくは、環境光線の強さの計測を行う光制御照明装置及び光制御照明セットに関する。
【手続補正４】
【補正対象書類名】明細書
【補正対象項目名】００１７
【補正方法】変更
【補正の内容】
【００１７】
第一ランプ、第一通信モジュール、調光タイミング制御器、光検知装置、及び前記第一ランプ、前記第一通信モジュール、前記調光タイミング制御器並びに前記光検知装置に電気的に接続される第一制御回路で構成される第一光制御照明装置と、第二ランプ、第二通信モジュール、及び前記第二ランプ並びに前記第二通信モジュールに電気的に接続される第二制御回路で構成される第二光制御照明装置を備え、ここでは、前記調光タイミング制御器は前記第一制御回路に接続されると共に導通調光信号及び停止調光信号を発信させ、前記導通調光信号が前記第一制御回路に送信されると導通期間が発生し、前記導通期間に前記第一ランプを発光させ、前記停止調光信号が前記第一制御回路に送信されるとオフ時間が発生し、前記オフ時間に前記第一ランプを消灯させ、また、前記オフ時間は人間の視覚が持続する時間より短く、且つ前記光検知装置が前記オフ時間に前記環境光線の強さが既定値とは異なるのを検知させると、前記調光タイミング制御器は前記第一ランプを制御させることを特徴とする。
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】削除
【補正の内容】
【手続補正９】
【補正対象書類名】明細書
【補正対象項目名】００３１
【補正方法】削除
【補正の内容】